(57)【特許請求の範囲】
【請求項１】
集合住宅において複数階にわたり当該集合住宅を構成する建物の外部に垂直方向に配置される配管ユニットであって、
各階の高さまたは複数階の高さに相当する高さを有する個々の配管ユニットが上下に連結して形成され、
各配管ユニットは必要な配管と機器とが内蔵され且つ平面視でほぼコ字形を呈して上記建物側に開口するハウジングで覆われると共に、
上記ハウジングは、内外一対の金属板とその間に挟持したハニカムコアの心材とからなるサンドイッチパネルにより形成され、
上記サンドイッチパネルが、平面視でほぼＬ字形を呈する左右一対の側パネルと、これらの間に連続して配置され且つ平面視でほぼ一字形の平パネルと、からなり、
上記サンドイッチパネルのうち、上記平パネルは幅方向の寸法が異なる複数の種類が用意され、かかる複数の種類における何れかの平パネルの左右両側に上記一対の側パネルを対称に配置することにより、上記ハウジングの幅寸法を変更可能とされている、
ことを特徴とする集合住宅の配管ユニット。
【請求項２】
前記ハウジングを形成する前記一対の側パネルおよびこれらの間に位置する平パネルは、これらのパネルの内側に配置される配管ユニットの強度部材に、直接またはアルミニウム合金の押出形材などを介して間接的に固定されている、
ことを特徴とする請求項１に記載の集合住宅の配管ユニット。
【請求項３】
前記サンドイッチパネルにおける前記内外一対の金属板の間に挟持される心材は、アルミニウム箔からなるハニカムコア、セラミックシートからなるハニカムコア、または、ペーパーからなるハニカムコアの何れかである、
ことを特徴とする請求項１または２に記載の集合住宅の配管ユニット。
【発明の詳細な説明】
【０００１】
【発明の属する技術分野】
本発明は、マンションやアパートなどの集合住宅に用いられる集合住宅の配管ユニットに関する。
【０００２】
【従来の技術】
マンションなどの集合住宅において、各住宅への水道水の給水および下水の排水やガスの供給は、パイプスペースと称される空間を通じて行われている。かかるパイプスペースは、水道メータやガスメータ、あるいはガス湯沸かし器などを含んでおり、随時ドアを開放することにより、メータ類の点検などが行われる。
従来、上記パイプスペースは、集合住宅の各階における開放廊下側に開口する建物の躯体内を独立して区画することにより設けられていた。このため、建物の躯体を形成する際、同時にコンクリート打ちしてパイプスペースを形成した後で、かかるパイプスペース内に水道管やガス管などを配管していた。
即ち、パイプスペースは、建物の躯体内に形成されているので、比較的狭い空間に制限されることが多く、水道管やガス管などの交換や追加などのメンテナンスは非常に困難であった。しかも、かかるパイプスペースは、居住者の住宅空間を制限する一因ともなっていた。
【０００３】
以上のような配管に伴う施工やメンテナンス上の不都合や居住者の住宅空間への制限をなくすため、複数階の開放廊下の外側にまたがって配管設備ユニットを垂直に取り付けることが提案されている(特開平８−４２１２３号公報参照)。
しかしながら、上記配管設備ユニットは、その外側に集合住宅の建物本体の外壁を取り付けるのと同様の手段によって施工され且つ各フロアごとの高さを有する耐火軽量コンクリート板からなるハウジングを使用している。
このため、水道管やガス管などが配管された後で、これらの周囲にクレーンなどにより上記ハウジングを吊り上げ且つ開放廊下の外側に固定するには、大がかりな工事となって相当の危険を伴うと共に、重量も大きいため、集合住宅の躯体への負荷が過大となる、という問題があった。
【０００４】
【発明が解決すべき課題】
本発明は、以上に説明した従来の技術における問題点を解決し、集合住宅における建物の外部に複数階にまたがって垂直に取り付けられ、軽量で且つ取り付けが容易な集合住宅の配管ユニットを提供する、ことを課題とする。
【０００５】
【課題を解決するための手段】
本発明は、上記課題を解決するため、集合住宅における建物の外部に複数階にまたがって垂直に取り付けられる配管ユニットのハウジングに軽量なサンドイッチパネルを用いる、ことに着想して成されたものである。
即ち、本発明における集合住宅の配管ユニット（請求項１）は、集合住宅において複数階にわたり当該集合住宅を構成する建物の外部に垂直方向に配置される配管ユニットであって、各階の高さまたは複数階の高さに相当する高さを有する個々の配管ユニットが上下に連結して形成され、各配管ユニットは必要な配管と機器とが内蔵され且つ平面視でほぼコ字形を呈して上記建物側に開口するハウジングで覆われると共に、上記ハウジングは、内外一対の金属板とその間に挟持したハニカムコアの心材とからなるサンドイッチパネルにより形成され、かかるサンドイッチパネルが、平面視でほぼＬ字形を呈する左右一対の側パネルと、これらの間に連続して配置され且つ平面視でほぼ一字形の平パネルと、からなり、かかるサンドイッチパネルのうち、上記平パネルは幅方向の寸法が異なる複数の種類が用意され、かかる複数の種類における何れかの平パネルの左右両側に上記一対の側パネルを対称に配置することにより、上記ハウジングの幅寸法を変更可能とされている、ことを特徴とする。
【０００６】
これによれば、マンションなどの集合住宅における建物の躯体を形成した後で、建物の外部、例えば開放廊下の外側にまたがって、個々の配管ユニットが上下に連続して配設される。即ち、各配管ユニットには、水道管やガス管などの必要な管類および各種の機器類が内蔵されると共に、その外側に、サンドイッチパネルにより形成される軽量なハウジングで形成される当該配管ユニットをクレーンなどにより吊り上げ、建物の躯体の外側に容易に取り付けることが可能となる。
また、各ハウジングは、一対の金属板の間にハニカムコアの心材を挟持した軽量なサンドイッチパネルから形成されているため、地上のクレーンで所定の高さの位置に迅速且つ安全に搬入でき、且つ躯体側との固定作業も容易に行うことが可能となる。更に、取り付け後において、建物の躯体への負荷を極めて小さくできると共に、外観の意匠性も良好に保つことができる。加えて、収納した配管や機器類の点検や取り替え工事に際しても、比較的広いスペースで作業が可能となり、必要に応じて上記ハウジングを形成するパネルを容易に取り外し且つ再度取り付けることも可能である。
【０００７】
しかも、請求項１の配管ユニットによれば、予め左右の側パネルは断面ほぼＬ字形を呈しているため、サンドイッチパネルにより個々の配管ユニットのハウジングを形成する際に、取り付け作業に手数を要するコーナ部の作業が不要となる。これにより、集合住宅における各階の高さまたは複数階の高さに相当する高さを有する個別の配管ユニットにおけるハウジングを、予め工場内または地上で精度良く形成することができる。加えて、収納した配管の点検や取り替え工事に際して、何れかのパネルを取り外すことが必要な場合でも、当該パネルの取り外しおよび再度の取り付けを、容易に行うことができる。
更に、収納する水道管やガス管の数、これらのメータ類、あるいは湯沸かし器などの機器類に要する容積に応じて、複数種類の平パネルを選択することにより、各ハウジングの幅方向における寸法を容易に調節することができる。従って、ハウジング内の容積を無駄なく活用することができる。
【０００８】
尚、前記サンドイッチパネルに用いる金属板には、少なくとも外側面が塗装された鋼製の薄板や、アルミニウム合金の薄板などが用いられる。
また、上記パネルの心材に用いるハニカムコアには、蜂の巣状の六角柱形状であるコア材や、薄板を円柱状に形成した円筒形のコア材が含まれ、これらコア材の軸心が上記パネルの厚み方向に沿うように密に配置される。
更に、各ハウジングにおける建物側（例えば開放廊下側）の開口部には、点検用の開閉式扉が配置される。また、上記ハウジング内には、水道やガスなどの主管が収納され、これらから各住宅へ接続する枝管は、各ハウジング内から分岐して配管される。
【０００９】
尚、前記側パネルは、例えば予め形成された平パネルを用い、一方の金属板から心材に向けて断面ほぼＶ字形の凹溝を形成し、かかる凹溝を挟んだ両側のパネル部分を互いに接近させるようほぼ直角に折り曲げると共に、その内隅で適宜固定して断面ほぼＬ字形としても良い。また、複数のＶ字形の凹溝を形成し、これらの両側のパネル部分を順次折り曲げることにより、出隅部分が多角柱またはほぼ４分の１の円周面を有する円柱形を呈する側パネルとすることもできる。
【００１０】
また、本発明には、前記ハウジングを形成する前記一対の側パネルおよびこれらの間に位置する平パネルは、これらのパネルの内側に配置される配管ユニットの強度部材に、直接またはアルミニウム合金の押出形材などを介して間接的に固定されている、集合住宅の配管ユニット（請求項２）も含まれる。
【００１１】
これによれば、一対の側パネルとこれらの間に連続して配置される平パネルとからなる各ハウジングを、鋼材などからなる強度部材に対して強固に固定できる。特に、上記押出形材をハウジングを形成する各パネルと強度部材との間に介在させることにより、各パネルの位置決めを精度良く行えると共に、容易且つ迅速に固定でき、更に外観の意匠性も良好に仕上げることができる。
【００１２】
加えて、本発明には、前記サンドイッチパネルにおける前記内外一対の金属板の間に挟持される心材は、アルミニウム箔からなるハニカムコア（円柱状のコア材も含む）、セラミックシートからなるハニカムコア、または、ペーパーからなるハニカムコアの何れかである、集合住宅の配管ユニット（請求項３）も含まれる。
これによれば、ハウジングを形成する各サンドイッチパネルを軽量にし且つ強度を高めることが確実となる。この結果、配管ユニットを軽量化でき、取付後における躯体への負荷も極く少なくし且つ所要の強度を長く保つことができる。
【００１３】
【発明の実施の形態】
以下において、本発明の実施に好適な形態を図面と共に説明する。
図１(Ａ)，(Ｂ)は、本発明が適用される集合住宅の配管ユニットＵの取付後の状態を示す。かかる配管ユニットＵは、図１(Ａ)に示すように、３階建てのマンション(集合住宅)Ｍにおける１階(１Ｆ)から３階(３Ｆ)の各階に平行に設けられ且つ各階の住宅に隣接する開放廊下Ｒ１〜Ｒ３の外側に、これらを跨って垂直に配置される。この配管ユニットＵは、１階(１Ｆ)から３階(３Ｆ)の各階毎の高さを有する個々の配管ユニットＵ１，Ｕ２，Ｕ３の３つを上下に連続させ且つ連結して形成される。また、配管ユニットＵの上端は、マンションＭの屋上付近に位置し、その下端は基礎上に設置される四角錐形状の下端部分カバーＧで化粧される。
尚、図１(Ａ)中において、符号「Ｔ」は開放廊下Ｒ１〜Ｒ３のコンクリート手摺を示し、符号「ｄ」は各住宅の玄関ドアを示す。
【００１４】
図１(Ａ)に示すように、個々の配管ユニットＵ１，Ｕ２，Ｕ３は、各階(１Ｆ〜３Ｆ)毎の高さに相当する高さを有し、それぞれの内部に水道やガスの主管Ｐやその他の配管ｐ、および各種のメータなどの機器類を内蔵すると共に、それぞれハウジングＨ１〜Ｈ３に覆われている。全体の配管ユニットＵは、これら個別のユニットＵ１，Ｕ２，Ｕ３を上下方向に接続したものである。
また、図１(Ｂ)に示すように、何れの配管ユニットＵ１，Ｕ２，Ｕ３も、ハウジングＨｎ(ｎは１〜３の何れか)も、平面視でほぼコ字形を呈し且つ開放廊下Ｒｎ(ｎは１〜３の何れか)側に開口する開口部(開口)３を有している。かかる開口部３には、図１(Ｂ)に示すように、観音開き式の扉２ａ，２ｂが取り付けられ、これらは開放廊下Ｒｎの手摺Ｔに設けた凹部Ｔ１内でほぼ９０度に開放可能とされている。
尚、手摺Ｔに凹部Ｔ１が設られていない場合は、上記扉２ａ，２ｂの高さは、かかる手摺Ｔよりも上側の寸法とされる。また、図１(Ｂ)中の符号「Ｋ」は、マンションＭの壁を、符号「Ｓ１，Ｓ２」は各住宅の室内空間(住宅)を示す。
【００１５】
図２(Ａ)は、配管ユニットＵｎにおいて、本発明の前提となる参考形態のハウジングＨｎの水平断面を示し、図示で左側が屋外であり、右側が建物(前記マンションＭ)側である。
ハウジングＨｎは、図２(Ａ)に示すように、平面視でほぼＬ字形を呈する左右一対の側パネル４，５と、これらの間に連続して配置され且つ平面視で一字形を呈する平パネル６と、から形成される。これらのパネル４〜６は、図２(Ｂ)の側パネル４を例として示すように、内外一対の金属板８，８と、これらの間に挟持したハニカムコアの心材９と、からなるサンドイッチパネルである。
上記一対の金属板８，８は、それぞれ厚みが約０．５ｍｍから２ｍｍの鋼板またはアルミニウム合金の薄板である。また、これらの間に接着して挟持される上記心材９は、厚みが５〜５０ｍｍであり、アルミニウム箔、水酸化アルミニウムのシート、またはペーパーから形成されたハニカムコアで、多数の六角柱のコアはパネル４〜６の厚み方向に沿っている。
【００１６】
一対の側パネル４，５は、何れかの金属板８から心材９に向けて断面ほぼＶ字形の凹溝(図示せず)を形成し、かかる凹溝を挟んだ両側のパネル部分を互いに接近させるようほぼ直角に折り曲げると共に、図２(Ａ)に示すように、その内隅にアルミニウム合金のアングル７をリベット７ａにより固定したものである。
図２(Ａ)に示すように、ハウジングＨｎを形成するパネル４〜６の内側には、配管ユニット１の強度部材(構造体)である鋼製のチャンネル１０，１１とアングル１２，１３とが縦・横方向に配置される。これらは、互いに接合されて当該配管ユニットＵｎを支持すると共に、後述する部位で前記マンションＭの躯体に固定される。
【００１７】
サンドイッチパネル４〜６間は、図２(Ａ)に示すように、アルミニウム合金の押出形材１４，１８により接続されると共に、これらを介して上記アングル１２に固定される。上記押出形材１４は、図２(Ｄ)に示すように、平坦な基板１５と、その外側面に突設した一対ずつで互いに対称な凸条１６，１７とを断面の全長に沿って有する。また、上記押出形材１８は、一対の平板１９，１９と、これらの間に位置し且つ上記形材１４の凸条１６，１６間に先端が嵌合する突部２０と、その外側に開口する凹溝２１とからなるほぼハット形断面を、その全長に沿って有し、且つ平板１９，１９の内側面には、凸条２２，２２が突設されている。
【００１８】
図２(Ａ)に示すように、平パネル６の両側の端面に、側パネル４，５における先端部４ａ，５ａの端面を対向させた状態で、かかるパネル４〜６の内・外側に合成ゴム製の水密パッキン２３を介して、押出形材１４，１８を外・内側から挟み付ける。この際、押出形材１８の突部２０は、押出形材１４の凸条１６，１６間にその先端が嵌合すると共に、各凸条１７，２２は、各水密パッキン２３に食い込んでその位置決めを果たす。上記各水密パッキン２３を介して、隣接するパネル４，６およびパネル５，６を内外から挟持した押出形材１４，１８は、図２(Ａ)に示すように、突部２０と基板１５とを貫通するネジ２５により、アングル１２に固定される。上記ネジ２５の頭が位置する押出形材１８の凹溝２１には、シリコン系のシール材２４が充填される。
【００１９】
図２(Ａ)に示すように、側パネル４，５の基端部４ｂ，５ｂにおける端面寄りの部分は、アルミニウム合金の押出形材２６，３２により挟持されると共に、これらを介して前記チャンネル１０に固定される。上記押出形材２６は、図２(Ｃ)に示すように、内外方向に沿う基板２７と、先端に断面先太形の凸条２９を有する外向き片２８と、上記凸条２９に対向して基板２７から突出する凸条３０と、基板２７から伸びる内向き片３１と、をその断面の全長に沿って有する。
また、押出形材３２は、図２(Ｃ)に示すように、内外方向に沿う押縁片３３と、その一端に位置しやや鋭角に凹む凹部３５と、上記形材２６の凸条２９，３０間に進入する先細片３４と、をその断面の全長に沿って有する。
【００２０】
図２(Ａ)の上下に示すように、側パネル４，５の基端部４ｂ，５ｂの端面寄りの部分に、内・外側の合成ゴム製の水密パッキン３９，３８を介して、押出形材２６，３２を内・外側から挟み付ける。この際、押出形材３２の先細片３４は、押出形材２６の凸条２９，３０間に進入し且つ前者の凹部３５に後者の凸条２９が嵌合する。この結果、上記形材３２の押縁片３３は、水密パッキン３８を介して、パネル４，５を内側向きに押さえ込む。
次に、側パネル４，５の基端部４ｂ，５ｂを内外から挟持した押出形材２６，３２のうち、押出形材３２を支持する押出形材２６の内向き片３１を、当該ハウジングＨｎの開口部３の両側に位置するチャンネル１０の側面に添接した後、ボルト３６およびナット３７により、上記チャンネル１０に側パネル４，５の基端部４ｂ，５ｂを固定する。
【００２１】
この結果、図２(Ａ)に示すように、配管ユニットＵ(Ｕｎ)の強度部材である鋼製のチャンネル１０，１１やアングル１２，１３に、平面視でほぼコ字形を呈し且つ側パネル４，５および平パネル６からなるハウジングＨｎが固定される。また、押出形材１４，１８，２６，３２により、パネル４〜６を精度良く位置決めしてアングル１２などに容易且つ迅速に固定でき、外観の意匠性も良好となる。
更に、図２(Ａ)の上下に示すように、側パネル４，５の端部に位置する押出形材２６の内側には、バックアップ材４６およびシリコン系のシール材４８を介して枠材４０が取り付けられる。かかる枠材４０は、例えばステンレス鋼板を曲げ加工した板金材で、外側の幅広いコ形片４１と、内側の小さなコ形片４４と、これらの間に位置する段部４２とからなる断面を、その全長に沿って有する。
そして、開口部３の両側に対称に取り付けられた枠材４０，４０の段部４２，４２間には、追って点検用の扉２ａ，２ｂが観音開き式にして取り付けられる。
【００２２】
図３(Ａ)は、上下方向に連結される配管ユニットＵ１，Ｕ２，Ｕ３…における前述したハウジングＨｎ，Ｈｎ＋１間における接続部を、配管ユニットＵ１，Ｕ２におけるハウジングＨ１，Ｈ２などを例として示す垂直断面図である。
図３(Ａ)に示すように、配管ユニットＵ２の下部には鋼材製のチャンネル５０，５１などが枠組みされ、これらの上に固定した床板５２が配置され、建物側のチャンネル５１には、上下一対のアングル片５６、垂直片５７、および下枠５８が図示しないリベットなどにより固定されている。下枠５８の上方には、手摺Ｔの凹部Ｔ１側に開閉する扉２ａ(２ｂ)が追って配置される。尚、チャンネル５０，５１などは、前記チャンネル１０などと接続され、配管ユニットＵ２の強度部材を形成する。また、配管ユニットＵ１の下部も上記と同じ構造を有する。
【００２３】
図３(Ａ)に示すように、配管ユニットＵ１の上部には鋼材製のチャンネル５４，５５などが枠組みされ、且つこれらも前記チャンネル１０などと接続され、配管ユニットＵ１の強度部材を形成する。また、配管ユニットＵ２の上部も上記と同じ構造を有する。尚、屋内側のチャンネル５５は、追って前記マンションＭの躯体であるフロア(スラブ)Ｆにボルト５９で固定されたアングル５３上に載置され、且つ図示しないボルトなどにより連結される。これにより、クレーンにて吊り上げられた当該ユニットＵ１(Ｕ２)は、マンションＭの躯体に固定される。
図３(Ｂ)の拡大図に示すように、配管ユニットＵ１，Ｕ２の接続構造を、両者のハウジングＨ１，Ｈ２の平パネル６，６間付近を例として説明する。平パネル６，６の上端部および下端部は、内外一対の押出形材６０，７０により挟持されると共に、建物側の押出形材６０を介してチャンネル５０，５４に固定される。
【００２４】
押出形材６０は、図３(Ｃ)に示すように、チャンネル５０側に伸びる厚肉の水平片６１、その外側に伸びる薄肉の水平片６２、およびこれらの間から立設する垂直片６４からなるほぼＴ字形の断面を、その全長に沿って有する。上記水平片６２の先端には、断面先太形の凸条６３が、また、上記垂直片６４の根元寄りと中間には、凸条６５，６８がそれぞれ形成されている。上記凸条６３および凸条６５が対向する水平片６２の一側面には、底広凹溝６６が位置している。
また、押出形材７０は、図３(Ｄ)に示すように、垂直方向に沿った押縁片７１と、その一端に位置しやや鋭角に凹む凹部７３と、上記押縁片７１の内側面に突設した凸条７４と、上記形材６０の底広凹溝６６内に進入する先細片７２と、をその断面の全長に沿って有する。
【００２５】
図３(Ｂ)に示すように、平パネル６，６の上端部および下端部に、内・外側から合成ゴム製の水密パッキン７７やシリコン系のシール材７８を介して、押出形材６０，７０をそれぞれ内・外側から挟み付ける。
この際、押出形材７０の先細片７２は、押出形材６０の底広凹溝６６内に進入し且つ前者の凹部７３に後者の凸条６３が嵌合することにより、上記形材７０の押縁片７１は、シール材７８を介して、パネル６，６を内側向きに押さえ込む。また、押出形材６０の凸条６８は、水密パッキン７７に食い込み、押出形材７０の凸条７４は、シール材７８のバックアップ材７９を位置決めする。
【００２６】
次に、図３(Ｂ)に示すように、平パネル６，６の上／下端部を内外から挟持した押出形材６０，７０のうち、外側の形材７０を支持する内(建物)側の形材６０の水平片６１を、配管ユニットＵ１，Ｕ２の上部または下部に位置するチャンネル５０，５４の一片に添接した後、ボルト７５およびナット７６により、かかるチャンネル５０，５４に固定する。この結果、平パネル６，６の上／下端部がチャンネル５０，５４などの強度部材に固定される。
尚、以上のような押出形材６０，７０の挟持、チャンネル５０などへの固定、およびシール材７８の充填などは、配管ユニットＵ１，Ｕ２のハウジングＨ１，Ｈ２を形成する前記側パネル４，５の上／下端部へも同様にして行われる。
【００２７】
以上のようなチャンネル１０，５０などの強度部材には、パネル４〜６からなるハウジングＨ１，Ｈ２が取り付けられると共に、必要な管Ｐ，ｐが固定される。そして、得られた各配管ユニットＵｎは、クレーンにより所定の高さ吊り上げられ、前記アングル５３およびボルト５９を介して建物の躯体に固定される。
更に、図３(Ｂ)に示すように、建物の躯体に固定され且つ上下に隣接する配管ユニットＵ１，Ｕ２の押出形材６０，６０間の隙間に、断面がほぼ楕円形のバックアップ材８０が挿入されると共に、その屋外側にシール材８２が充填される。
これにより、前記図１(Ａ)に示した配管ユニットＵ１，Ｕ２，Ｕ３からなる配管ユニットＵを、マンションＭの開放廊下Ｒ１〜Ｒ３の外側に跨って容易に取り付けることができる。尚、前記図１(Ａ)で最上層のハウジングＨ３の上端部には、例えば前記同様のサンドイッチパネルを加工して組み立てられ、かかる上端部を覆うようにした偏平な天板ユニットが取り付けられる。
【００２８】
図４(Ａ)，(Ｂ)は、幅方向の寸法ｗを互いに相違させた平パネル６ａ，６ｂを含む本発明のハウジングＨｎを示す。例えば、左右の側パネル４，５における先端部４ａ，５ａおよび基端部４ｂ，５ｂの各幅寸法は共通とし、前記平パネル６を、その幅方向の寸法ｗを標準とすると共に、これよりも小さい幅方向の寸法ｗの平パネル６ａと、大きい幅方向の寸法ｗの平パネル６ｂとの３種類を用意する。
その結果、図４(Ａ)に示す幅方向の寸法ｗの小さい平パネル６ａの両側に側パネル４，５を配置するハウジングＨｎの幅方向の寸法Ｗは、図４(Ｂ)に示す幅方向の寸法ｗの大きい平パネル６ｂの両側に側パネル４，５を配置するハウジングＨｎの幅方向の寸法Ｗよりも小さくなる。
従って、３種類の平パネル６，６ａ，６ｂを用意することにより、幅方向の寸法Ｗが３通りとなるハウジングＨｎが容易に形成できるため、収納する水道管やガス管などに要する種々の容積に、過不足なく容易に対応することができる。
【００２９】
図４(Ｃ)は、側パネル４(５)と平パネル６との間における異なる形態の接続構造、およびこれらパネル４，６付近のアングル１２を例とした強度部材への固定構造を示す。図４(Ｃ)に示すように、側パネル４および平パネル６の外側の金属板８における端部には、断面コ字形でやや長い折曲部８ａが、内側の金属板８における端部には、断面コ字形でやや短い折曲部８ｂが、それぞれ形成されている。この結果、パネル４，６の端面には、図４(Ｃ)に示すように、折曲部８ａ，８ｂに挟まれた凹溝９ａがそれぞれ位置する。また、パネル４，６の折曲部８ａ，８ａを当接させると、内側の折曲部８ｂ，８ｂ間には、隙間が形成される。
【００３０】
図４(Ｃ)に示すように、予め断面角形の中空部８７を内蔵する継ぎ手部８６と、これから内側に伸びる固定片８８とからなる押出形材８４を用意する。
次に、上記形材８４の継ぎ手部８６を、パネル４，６の端面における凹溝９ａ，９ａ間に嵌合する。この際、継ぎ手部８６を各凹溝９ａに強く嵌合するか、あるいは両者の間に図示しないクッション材を挿入して、位置ずれを防ぐ。
次いで、図４(Ｃ)に示すように、パネル４，６の折曲部８ｂ，８ｂ間の隙間から内側に伸びた固定片８８を、アングル１２の一片に添接し、かかる状態でボルト９０およびナット９２により、当該アングル１２に固定する。
以上のような金属板８に折曲部８ａ，８ｂを含む側パネル４(５)、平パネル６、および押出形材８４を用いることにより、パネル４，６が容易に接続でき、且つ接続したパネル４，６の外側の目地も目立たないようにすることができる。
【００３１】
本発明は、以上において説明した各形態に限定されるものではない。
例えば、前記個々の配管ユニットＵ１，Ｕ２，Ｕ３およびこれらに個別に取り付けられるハウジングＨｎの高さは、複数階(例えばＦ１＋Ｆ２)の高さに相当するものとしても良い。これにより、高層階の集合住宅にも容易に適用できる。
また、前記ハウジングＨｎを形成する前記パネル４〜６を、配管ユニットＵｎの強度部材である前記アングル１２などに対して、ボルト・ナットおよびこれらの付属金具により、直接的に固定しても良い。あるいは、鋼材製の接続金具を介して、前記パネル４〜６を前記アングル１２などに間接的に固定しても良い。
更に、サンドイッチパネルの前記心材９には、ガラス繊維からなるハニカムコアとしたり、あるいはこれを含む各ハニカムコアにおける六角柱や円柱形のコア空間内にグラスウールまたはロックロールを更に充填したものを用いても良い。
尚、前記集合住宅の建物における開放廊下には、上下の階層間が平行で且つジグザク状の昇降用階段における各階層間に位置する踊り場も含まれる。
【００３２】
【発明の効果】
以上に説明した本発明の配管ユニット(請求項１)によれば、集合住宅の建物の躯体を形成した後で、その外部に１階分ないし複数階分の高さを有する配管ユニットをレーンなどにより吊り上げることにより、容易に取り付けることができる。また、個々の配管ユニットには、必要な配管・分岐管・各種機器類などの外周を囲うハウジングが予め一体化されているため、配管作業を事前に行うことも可能となり、現場では個々の配管ユニット同士間の連結作業と分岐管の接続作業のみを行うだけで済む。更に、各ハウジングは、一対の金属板の間にハニカムコアの心材を挟持した軽量なサンドイッチパネルからなるため、軽量で配管ユニット全体の重量も軽減でき、且つクレーンにより安全且つ迅速に設置できると共に、躯体側との固定作業も容易に行える。しかも、取り付け後において、建物の躯体への負荷を極めて小さくでき、且つ外観の意匠性も良好に保つことができる。加えて、個々の配管ユニット同士間に連通して垂直配管が行えるため、メンテナンス・配管類の交換や増設なども容易に行うことができる。
【００３３】
また、前記請求項１の配管ユニットによれば、断面ほぼＬ字形の一対の側パネルとその間に連続して配置される平パネルとにより、ハウジングが形成される。このため、パネルの取付に際し、コーナ部の施工処理が不要となるので、集合住宅における各階の高さまたは複数階の高さに相当する高さを有する個々の配管ユニットを、予め工場内または地上で精度良く形成できる。また、内蔵される配管の本数や機器類の数により個々の配管ユニットの大きさを変更した場合には、平パネルの幅を変更することにより、配管ユニットのサイズを容易に変更できる。
更に、前記請求項１の配管ユニットによれば、内部に収納する水道管やそのメータ類または湯沸かし器などの機器類に要する容積に応じて、複数種類の平パネルを選択することにより、各ハウジングの幅方向における寸法を容易に調節することができる。従って、配管ユニット内の容積を無駄なく活用することができる。
【００３４】
また、請求項２の配管ユニットによれば、一対の側パネルとその間に連続して配置される平パネルとからなる各ハウジングを、鋼材などの強度部材を介して建物の躯体に強固に固定できる。特に、前記押出形材をハウジングの各パネルと強度部材との間に介在させる形態では、各パネルの位置決めを精度良く行い、容易且つ迅速に固定できると共に、外観の意匠性も良好に仕上げられる。
加えて、請求項３の配管ユニットによれば、そのハウジングを形成する各サンドイッチパネルを軽量にし且つ厚み方向の耐圧縮強度を高くできるため、配管ユニットの現場への吊り上げや取付を容易にでき、取付後における躯体への負荷も極く少なくし且つ所要の強度を長く保つことができる。
【図面の簡単な説明】
【図１】(Ａ)は本発明が適用される配管ユニットを集合住宅に取り付けた状態を示す概略図、(Ｂ)は上記配管ユニットおよびその付近を示す水平断面図。
【図２】(Ａ)は図１に示した個別の配管ユニットで且つ本発明の前提となる参考形態の配管ユニットとそのハウジングを示す水平断面図、(Ｂ)は(Ａ)中の一点鎖線部分Ｂの拡大図、(Ｃ)，(Ｄ)は上記ハウジングに用いる押出形材を示す断面図。
【図３】(Ａ)は図１の配管ユニットにおける上下の各配管ユニットの接続部を示す垂直断面図、(Ｂ)は(Ａ)中の一点鎖線部分Ｂの拡大図、(Ｃ)，(Ｄ)は上記各配管ユニットに用いる押出形材を示す断面図。
【図４】(Ａ)，(Ｂ)は異なる幅寸法の平パネルを用いる本発明のハウジングを示す概略図、(Ｃ)はパネル同士の接続部における異なる形態を示す水平断面図。
【符号の説明】
Ｕ，Ｕ１〜Ｕ３……配管ユニット、           Ｈ１〜Ｈ３,Ｈｎ…ハウジング、
Ｍ……………………マンション(集合住宅)、
Ｐ，ｐ………………主管／配管(配管)、       Ｗ，ｗ………………幅寸法
１Ｆ〜３Ｆ…………階、                     ３……………………開口部、
４，５………………側パネル、               ６,６ａ,６ｂ……平パネル、
８……………………金属板、                 ９……………………心材、
１０，５０，５４…チャンネル(強度部材)、
１２，１３…………アングル(強度部材)、
１４，２６，６０…押出形材
【図１】
0003899949.tif 000002
【図２】
0003899949.tif 000003
【図３】
0003899949.tif 000004
【図４】
0003899949.tif 000005